(57)【特許請求の範囲】
【請求項１】
警備用端末装置と警備用コントローラとが無線により接続された無線警備システムであって、
前記警備用端末装置は、センサ部及び表示部と、入力側に前記センサ部が接続されると共に出力側に前記表示部が接続された端末制御部と、該端末制御部で処理された信号を無線で前記警備用コントローラに送信可能な送受信部とを備え、前記端末制御部は、特殊モードに設定された際に、前記送受信部を介して特殊信号を前記警備用コントローラに送信すると共に、前記表示部は、前記特殊信号が送信された後で、前記警備用コントローラから認識信号が受信された際に該認識信号の受信感度を表示し、前記警備用コントローラから認識信号が受信されない場合に通常の受信表示を行い、
前記警備用コントローラは、コントローラ制御部及び記憶部と、前記警備用端末装置との間で無線信号の送受信が可能な送受信部とを備え、前記コントローラ制御部は、前記警備用端末装置から前記特殊信号を受信した際に、前記警備用端末装置が特殊モードであることを認識して受信感度確認用の所定レベルの前記認識信号を前記警備用端末装置に送信することを特徴とする無線警備システム。
【発明の詳細な説明】
【技術分野】
【０００１】
本発明は、警備用端末装置と警備用コントローラとが無線で接続された無線警備システムに関する。
【背景技術】
【０００２】
従来、警備用端末装置（以下、端末装置という）が警備用コントローラ（以下、コントローラという）に無線で接続された無線警備システムとしては、例えば特許文献１に開示されている。この無線警備システムは、図４に示すように、端末装置１０２（無線センサ装置）及びコントローラ１０３（無線基地局）を備え、端末装置１０２は、図４（ａ）に示すように、センサ部１０４と、コントローラ１０３との間でデータのやり取りを行う無線送受信部１０５と、コントローラ１０３に対してサンプル信号を送信するサンプル信号送信部１０６と、ＣＰＵ１０７と、ブザー１０８及びＬＥＤ１０９の少なくとも一方を備えている。
【０００３】
また、コントローラ１０３は、図４（ｂ）に示すように、端末装置１０２との間でデータのやり取りを行うための無線送受信部１１０と、サンプル信号送信部１０５からのサンプル信号の受信感度を検知する感度検知部１１１と、この感度検知部１１１の検知結果を端末装置に送信する感度送信部１１２等を備えている。そして、端末装置１０２のＣＰＵ１０７は、コントローラ１０３の感度送信部１１２から送信されるデータに基づきサンプル信号の受信感度を、ブザー１０８及びＬＥＤ１０９の少なくとも一方で告知するようにしたものである。
【特許文献１】特開２００７−１９５０９５号公報
【発明の開示】
【発明が解決しようとする課題】
【０００４】
しかしながら、このような無線警備システムにあっては、端末装置１０２からコントローラ１０３に送信されたサンプル信号を、コントローラ１０３の感度検知部１１１で検知してその感度を感度送信部１１２から端末装置１０２に返信（送信）し、この返信信号に基づき端末装置１０２の表示部に感度を表示する構成であるため、コントローラ１０３の感度検知部１１１で検知された感度が端末装置１０２に返信される際の信号の伝搬ロスにより、コントローラ１０３で検知した感度をそのままのレベルで表示することが困難で正確な感度の表示が難しく、例えば端末装置１０２の設置作業の効率化を妨げる一因となり易い。また、例えばコントローラ１０３に感度検知部１１１や感度送信部１１２を設けたり、端末装置１０２にサンプル信号送信部１０６等を設ける必要がある等、無線警備システムの全体構成が複雑化してコストアップを招き易い。
【０００５】
本発明は、このような事情に鑑みてなされたもので、その目的は、簡易な構成により、警備用端末装置に警備用コントローラからの受信信号の感度を正確に表示可能な無線警備システムを提供することにある。
【課題を解決するための手段】
【０００６】
かかる目的を達成すべく、本発明の請求項１に記載の発明は、警備用端末装置と警備用コントローラとが無線により接続された無線警備システムであって、前記警備用端末装置は、センサ部及び表示部と、入力側に前記センサ部が接続されると共に出力側に前記表示部が接続された端末制御部と、該端末制御部で処理された信号を無線で前記警備用コントローラに送信可能な送受信部とを備え、前記端末制御部は、特殊モードに設定された際に、前記送受信部を介して特殊信号を前記警備用コントローラに送信すると共に、前記表示部は、前記特殊信号が送信された後で、前記警備用コントローラから認識信号が受信された際に該認識信号の受信感度を表示し、前記警備用コントローラから認識信号が受信されない場合に通常の受信表示を行い、前記警備用コントローラは、コントローラ制御部及び記憶部と、前記警備用端末装置との間で無線信号の送受信が可能な送受信部とを備え、前記コントローラ制御部は、前記警備用端末装置から前記特殊信号を受信した際に、前記警備用端末装置が特殊モードであることを認識して受信感度確認用の所定レベルの前記認識信号を前記警備用端末装置に送信することを特徴とする。
【発明の効果】
【０００９】
本発明のうち請求項１に記載の発明によれば、警備用端末装置の端末制御部が特殊モードに設定された際に、送受信部を介して特殊信号を警備用コントローラに送信すると共に、警備用コントローラから特殊モードであることを示す認識信号が返信された際に、該認識信号の感度を表示部に表示するため、受信した認識信号のレベルをそのまま表示できて、受信信号の感度の正確な表示が可能となり、例えば警備用端末装置の設置作業を効率的に行うことができると共に、特殊信号の送受信で対応できて、構成簡易にし無線警備システムのコストアップを防ぐことができる。
【００１０】
また、警備用コントローラが、警備用端末装置から特殊信号を受信した際に、警備用端末装置が特殊モードであることを認識して所定レベルの認識信号を警備用端末装置に送信するため、警備用コントローラが特殊モードを的確に認識して、その認識信号を警備用端末装置に確実に送信することができる。
【００１１】
さらに、表示部が、特殊信号が送信された後で、警備用コントローラから認識信号が受信された際に該認識信号の受信感度をそのまま表示し、警備用コントローラから認識信号が受信されない場合に通常の受信表示を行うため、特殊信号により特殊モードに設定された際にのみ受信感度を表示部に表示できて、警備用端末装置の設置等を一層効率的に行うことができる。
【発明を実施するための最良の形態】
【００１２】
以下、本発明を実施するための最良の形態を図面に基づいて詳細に説明する。
図１〜図３は、本発明に係わる無線警備システムの一実施形態を示し、図１がそのブロック構成図、図２及び図３が端末装置及びコントローラの動作の一例を示すフローチャートである。
【００１３】
図１に示すように、無線警備システム１は、端末装置（警備用端末装置）２と、コントローラ３（警備用コントローラ）とを備え、これらが無線４で接続されている。前記端末装置２は、例えば工場等の事務所、各種販売店等の店、あるいは一般家庭等の警備対象施設の出入り口等の所定位置に設置され、ＣＰＵ５ａや記憶部５ｂ等を備えた端末制御部５を有している。
【００１４】
そして、この端末制御部５の入力側には、熱線センサや各種検知スイッチ等からなるセンサ部６が接続され、端末制御部５の出力側にはＬＥＤやブザー等からなる表示部８が接続されている。また、端末制御部５にはアンテナ９ａを有する無線送受信部９が接続され、この無線送受信部９を介して、前記コントローラ３との間で各種データ等が無線信号でやり取りされるようになっている。
【００１５】
前記コントローラ３は、前記警備対象施設の例えば警備員室等の所定位置に設置されて、ＣＰＵ１０ａや記憶部１０ｂ等を備えたコントローラ制御部１０を有している。このコントローラ制御部１０の入力側には操作部１１が接続され、その出力側には表示部１２が接続されている。また、コントローラ制御部１０には、前記端末装置２と無線信号をやり取り可能なアンテナ１３ａを有する無線送受信部１３が接続されると共に、通信回線１５を介して警備センタ１６に接続された通報部１４が接続されている。そして、このコントローラ３は、無線送受信部１３を介して前記端末装置２との間で各種無線信号（各種データ）がやり取りされると共に、通報部１４を介して前記警備センタ１６との間で各種信号がやり取りされるようになっている。
【００１６】
次に、この無線警備システム１の動作の一例を図２及び図３のフローチャートに基づいて説明する。なお、図２に示すフローチャートは、前記端末装置２の端末制御部５の記憶部５ｂに予め記憶されたプログラムにしたがい自動的に実行され、図３に示すフローチャートは、前記コントローラ３のコントローラ制御部１０の記憶部１０ｂに予め記憶されたプログラムにしたがい自動的に実行される。先ず、端末装置２の動作は、図２に示すように、端末装置２に電源が投入されるとプログラムがスタート（Ｓ１００）し、端末装置２が特殊モードか否かが判断（Ｓ１０１）され、この判断Ｓ１０１は「ＹＥＳ」になるまで繰り返される。
【００１７】
この判断Ｓ１０１で「ＹＥＳ」の場合、すなわち、例えばコントローラ３によって端末装置２が「通常モード」から「特殊モード」側に切り替えられると、特殊信号が端末装置２の無線送受信部９からコントローラ３の無線送受信部１３に送信（Ｓ１０２）されて、特殊モード認識信号を受信したか否かが判断（Ｓ１０３）される。
【００１８】
この判断Ｓ１０３は、後述するコントローラ３の動作により、コントローラ３から端末装置２に送信される特殊モード認識信号の受信の有無を判断するもので、コントローラ３から特殊モード認識信号が受信された際は、判断Ｓ１０３で「ＹＥＳ」となり、特殊モード認識信号の受信感度を表示部８に表示（Ｓ１０４）してエンド（Ｓ１０６）となる。なお、ステップＳ１０４による表示は、受信した特殊モード認識信号の受信レベル、つまり受信感度をそのまま表示し、表示部８がＬＥＤの場合はその点灯によって、また表示部８がブザーの場合はその音（音声）によって行われるようになっている。
【００１９】
一方、判断Ｓ１０３で「ＮＯ」の場合、すなわち、特殊信号を送信しても特殊モード認識信号が受信されない場合は、表示部８に通常の表示（Ｓ１０５）が行われてエンド（Ｓ１０６）となる。つまり、端末制御部５は、特殊モードに設定されると、特殊信号がコントローラ制御部１０に送信され、コントローラ制御部１０から特殊モード認識信号が受信された際に、該認識信号の受信感度が表示部８にそのまま表示されることになり、例えばこの表示により端末装置２の受信感度を確認しつつ、端末装置２の所定位置への設置や初期設定等が可能となる。
【００２０】
また、前記コントローラ３の動作は、図３に示すように、プログラムがスタート（Ｓ２００）すると、端末装置２を特殊モードに設定した後に、端末装置２から特殊信号が受信されたか否かが判断（Ｓ２０１）される。この判断Ｓ２０１は「ＹＥＳ」になるまで繰り返されて、図２のステップＳ１０２で特殊信号が送信されてそれを受信した場合は、端末装置２が特殊モードであることを認識（Ｓ２０２）し、特殊モード認識信号が端末装置２に送信（Ｓ２０３）されてエンド（Ｓ２０４）となる。つまり、コントローラ制御部１０は、端末装置２から特殊信号を受信してそれを認識した際に、端末装置２の受信感度確認用の信号である所定レベルの特殊モード認識信号を端末装置２に送信することになる。
【００２１】
このように、上記実施形態の無線警備システム１にあっては、端末装置２の端末制御部５が、コントローラ３により特殊モードに設定された際に、無線送受信部９を介して特殊信号をコントローラ３に送信すると共に、コントローラ３から特殊モードであることを示す認識信号が返信された際に、該認識信号の感度を表示部８に表示するため、受信した認識信号のレベルをそのまま表示できて、受信信号の感度の正確な表示が可能となり、例えば端末装置２の設置作業を効率的に行うことができる。
【００２２】
特に、コントローラ３が、端末装置２から特殊信号を受信した際に、端末装置２が特殊モードであることを認識して所定レベルの認識信号を端末装置２に送信するため、コントローラ３が特殊モードを的確に認識して、その認識信号を端末装置２に確実に送信することができる。また、端末装置２の表示部８が、特殊信号が送信された後で、コントローラ３から認識信号が受信された際に感度を表示し、コントローラ３から認識信号が受信されない場合に通常の受信表示を行うため、特殊信号により特殊モードに設定された際にのみ感度を表示部８に表示でき、これらにより、端末装置２の設置等を一層効率的に行うことが可能となる。
【００２３】
また、端末制御部５とコントローラ制御部１０との間で特殊信号を送受信することにより対応できるため、従来のようにコントローラ制御部に感度検知部等を専用に設けることなく対応できると共に、信号の伝搬ロス等に最深の注意を払う必要がなくなり、構成簡易にして無線警備システム１のコストアップを防ぐことができる。
【００２４】
なお、上記実施形態における、端末制御部５やコントローラ制御部１０の構成、及びこれらの動作は一例であって、例えば上記したフローチャートと同様の作用効果が得られる他のフローチャートを採用する等、本発明の要旨を逸脱しない範囲において適宜に変更することができる。
【産業上の利用可能性】
【００２５】
本発明は、警備用端末装置と警備用コントローラとが無線で接続された全ての無線警備システムに利用できる。
【図面の簡単な説明】
【００２６】
【図１】本発明に係わる無線警備システムの一実施形態を示すブロック構成図
【図２】同警備用端末装置の動作の一例を示すフローチャート
【図３】同警備用コントローラの動作の一例を示すフローチャート
【図４】従来の無線警備システムのブロック図
【符号の説明】
【００２７】
１・・・無線警備システム、２・・・警備用端末装置、３・・・警備用コントローラ、４・・・無線、５・・・端末制御部、５ａ・・・ＣＰＵ、５ｂ・・・記憶部、６・・・センサ部、８・・・表示部、９・・・無線送受信部、１０・・・コントローラ制御部、１０ａ・・・ＣＰＵ、１０ｂ・・・記憶部、１１・・・操作部、１２・・・表示部、１３・・・送受信部、１４・・・通報部、１５・・・通信回線、１６・・・警備センタ。
【図１】
0005187949.tif 000002
【図２】
0005187949.tif 000003
【図３】
0005187949.tif 000004
【図４】
0005187949.tif 000005